(57)【特許請求の範囲】
【請求項１】
各カセットスロットに一枚ずつウェーハを収納しているカセットが受け渡しステーションに設置され、移載装置が前記カセットスロットからウェーハをウェーハボートの各ボートスロットに移載し、ウェーハが移載されたウェーハボートのウェーハの収納状態を表示する半導体製造装置において、
前記各ボートスロットに格納されたウェーハがどのカセットのどのカセットスロット番号から移載されたものかを記憶する記憶手段と、
記憶手段のデータを参照して、前記ボートスロットに収納されたウェーハがどのカセットのどのカセットスロット番号から移載されたものかを表示する表示手段とを有し、
前記ウェーハボートに搭載されたウェーハを生産ウェーハ、テストウェーハ、ダミー用の種類別に色を変えて表示することを特徴とする半導体製造装置。
【請求項２】
各カセットスロットに一枚ずつウェーハを収納しているカセットが受け渡しステーションに設置され、移載装置が前記カセットスロットからウェーハをウェーハボートの各ボートスロットに移載し、ウェーハが移載されたウェーハボートのウェーハの収納状態を表示する半導体製造装置の表示方法において、
前記各ボートスロットに格納されたウェーハがどのカセットのどのカセットスロット番号から移載されたものかを記憶する記憶手段と、
記憶手段のデータを参照して、前記ボートスロットに収納されたウェーハがどのカセットのどのカセットスロット番号から移載されたものかを表示する表示手段とを有し、
前記ウェーハボートに搭載されたウェーハを生産ウェーハ、テストウェーハ、ダミー用の種類別に色を変えて表示することを特徴とする半導体製造装置の表示方法。
【請求項３】
各カセットスロットに一枚ずつウェーハを収納しているカセットと、各ボートスロットに一枚ずつウェーハが移載されるウェーハボートと、前記カセットスロットから前記ウェーハを前記ボードスロットに移載する移載装置と、前記ウェーハが移載されたウェーハボードのウェーハの収納状態を表示する表示手段を少なくとも有する半導体製造装置において、
前記表示手段は、前記ウェーハボートに搭載されたウェーハを生産ウェーハ、テストウェーハ、ダミー用の種類別に色を変えて表示すると共に前記ウェーハの属するロット情報を表示することを特徴とする半導体製造装置。
【請求項４】
各カセットスロットに一枚ずつウェーハを収納しているカセットと、各ボートスロットに一枚ずつウェーハが移載されるウェーハボートと、前記カセットスロットから前記ウェーハを前記ボードスロットに移載する移載装置と、前記ウェーハが移載されたウェーハボードのウェーハの収納状態を表示する表示手段を少なくとも有する半導体製造装置の表示方法において、
前記表示手段は、前記ウェーハボートに搭載されたウェーハを生産ウェーハ、テストウェーハ、ダミー用の種類別に色を変えて表示すると共に前記ウェーハの属するロット情報を表示することを特徴とする半導体製造装置の表示方法。
【請求項５】
前記ロット情報は、前記ウェーハがどのカセットのどのカセットスロット番号から移載されたものかを示す請求項３記載の半導体製造装置。
【請求項６】
前記ロット情報は、前記ウェーハがどのカセットのどのカセットスロット番号から移載されたものかを示す請求項４記載の半導体製造装置の表示方法。
【請求項７】
ウェーハボートの各ボートスロットに収納されている各ウェーハについてのロット情報を記憶する搬送制御部と、ウェーハが移載されたウェーハボードのウェーハの収納状態を表示する表示部と、前記ウェーハボードを管理する内容について前記搬送制御部と前記表示部と指示や前記ロット情報の授受を行う主制御部とで少なくとも構成された半導体製造装置において、
前記表示部は、前記主制御部から受け取った前記ロット情報に基づいて、前記ロット情報の編集を行い、前記ウェーハボードに搭載されたウェーハを生産ウェーハ、テストウェーハ、ダミー用の種類別に色を変えて表示すると共に前記ロット情報を表示することを特徴とする半導体製造装置。
【請求項８】
前記表示部は、更に、前記ウェーハボートのウェーハの収納状態を前記ウェーハボード全体の画面で表示する請求項７記載の半導体製造装置。
【請求項９】
前記ロット情報には、ウェーハ種別情報、ロット番号、カセットスロット番号のうち少なくとも１つ以上が含まれる請求項７記載の半導体製造装置。
【請求項１０】
ウェーハボートの各ボートスロットに収納されている各ウェーハについてのロット情報を記憶する搬送制御部と、ウェーハが移載されたウェーハボードのウェーハの収納状態を表示する表示部と、前記ウェーハボードを管理する内容について前記搬送制御部と前記表示部と指示や前記ロット情報の授受を行う主制御部とで少なくとも構成されたウェーハボード管理システムにおいて、
前記表示部は、前記主制御部から受け取った前記ロット情報に基づいて、前記ロット情報の編集を行い、前記ウェーハボードに搭載されたウェーハを生産ウェーハ、テストウェーハ、ダミー用の種類別に色を変えて表示すると共に前記ロット情報を表示することを特徴とするウェーハボード管理システム。
【発明の詳細な説明】
【技術分野】
【０００１】
この発明は、各カセットスロットに一枚ずつウェーハを収納しているカセットが受け渡しステーションに設置され、移載装置が前記カセットスロットからウェーハを順次にウェーハボートのボートスロットに移載し、ウェーハが移載されたウェーハボートのウェーハの収納状態を各ボートスロットの位置に対応してウェーハの種類毎に色分けし表示器に表示するウェーハボート管理システムに関する。
【背景技術】
【０００２】
従来の半導体製造装置に使用されるウェーハボート管理システムにおいては、ウェーハボートに搭載されたウェーハの管理状況を示す情報をウェーハボートステータス情報（以降、ウェーハボートステータス情報と記す）として保有している。ウェーハボート管理システムは、このウェーハボートステータス情報に基づいて、ウェーハの種類別に色分けして表示器に表示し、視覚的に分かるようにオペレータに提供している。したがって、オペレータは、ウェーハボートの所定のスロットに格納されているウェーハの種別（例えば、生産ウェーハあるいはテストウェーハ等）を表示された色によって知ることができる。
【発明の開示】
【発明が解決しようとする課題】
【０００３】
上述した従来のウェーハボート管理システムは、ウェーハボートに搭載されたウェーハを種類別に色を変えて表示するようにしているので、ウェーハボートの所定のスロットに格納されているウェーハの種別は表示器に表示された色によって知ることができるが、ロット識別表示（ＬＯＴ ＩＤ表示）がないために、そのウェーハがどのロットに属するかは判断できないという問題がある。このようにロットを判断できないために、例えば、ウェーハ搬送トラブル等により、ウェーハボートの上にあるウェーハを手動でロットの決められたカセットに戻さなければならない場合に、ウェーハの種別については正しく該当カセットに戻すことが可能であるが、ロットについて正しく該当するカセットに戻すことは非常に困難である。
【０００４】
この発明は、上記の問題に鑑み、ウェーハボートに搭載されたウェーハを種類別に色を変えて表示できるとともに、それぞれのウェーハの属するロットも分かるようにロット別に表示できるウェーハボート管理システムを提供することを目的とする。
【課題を解決するための手段】
【０００５】
前述した課題を解決するために、この発明は、各カセットスロットに一枚ずつウェーハを収納しているカセットが受け渡しステーションに設置され、移載装置が前記カセットスロットからウェーハを順次にウェーハボートの各ボートスロットに一枚ずつ移載し、ウェーハが移載されたウェーハボートのウェーハの収納状態を各ボートスロットの位置に対応してウェーハの種類毎に色分けし表示器に表示するウェーハボート管理システムにおいて、前記各ボートスロットに格納されたウェーハが属するロットの番号とどのカセットのどのカセットスロット番号から移載されたものかを記憶するロット番号およびカセットスロット番号記憶手段と、前記表示器に色分けして表示されたウェーハの種類のうちから所望の種類が指示されると、指示された種類に対応する色以外の色を消去するとともに、指示された種類に含まれているロットの番号を前記表示器に表示する選択表示手段と、前記表示器に表示されたロット番号のうち所望のものが指示されると、指示されたロット番号に属する色以外の色を消去するロットグループ選択手段と、前記ロットグループ選択手段によって選択され残っている色の部分が指示されると、前記ロット番号およびカセットスロット番号記憶手段のデータを参照して、その残っている色の部分に対応するボートスロットに収納されたウェーハがどのカセットのどのカセットスロット番号から移載されたものかを表示するカセットスロット番号表示手段とを有する。
【発明の効果】
【０００６】
この発明に係わるウェーハボート管理システムは、移載装置を用いてカセットのカセットスロットからウェーハをウェーハボートのボートスロットに適切に移載し管理するために、前記各ボートスロットに格納されたウェーハが属するロットの番号とどのカセットのどのカセットスロット番号から移載されたものかを記憶するロット番号およびカセットスロット番号記憶手段と、前記表示器に色分けして表示されたウェーハの種類のうちから所望の種類が指示されると、指示された種類に対応する色以外の色を消去するとともに、指示された種類に含まれているロットの番号を前記表示器に表示する選択表示手段と、前記表示器に表示されたロット番号のうち所望のものが指示されると、指示されたロット番号に属する色以外の色を消去するロットグループ選択手段と、前記ロットグループ選択手段によって選択され残っている色の部分が指示されると、前記ロット番号およびカセットスロット番号記憶手段のデータを参照して、その残っている色の部分に対応するボートスロットに収納されたウェーハがどのカセットのどのカセットスロット番号から移載されたものかを表示するカセットスロット番号表示手段とを有することにより、ウェーハの種類や属するロットが一目で分かり、また、ウェーハが収容されているボートスロットと、移載される前のカセットスロットの対応が表示部において簡単に確認できる効果があり、ひいては、何らかの必要によってボートスロットから元のカセットスロットにウェーハを戻そうとする場合に、手動によっても自動によっても、これらの表示に基づいてウェーハの種類および移載される前の元のカセットのカセットスロットに関して誤りを発生させることなく正確に戻すことができる。
【発明を実施するための最良の形態】
【０００７】
以下、この発明の実施の形態について添付図面に基づいて説明する。図１は、この発明に係わるウェーハボート管理システムが使用されている半導体製造装置を示すブロック図、図２は、ウェーハボートステータス情報が表示部に表示されるまでの動作を説明する図、図３は、ウェーハボートの各ボートスロットに格納されているウェーハに関して記憶部に記憶されている状態を示す図、図４は、ウェーハボートの各ボートスロットに格納されているウェーハに関する情報が表示部に表示される状態を示す図である。
【０００８】
図１の半導体製造装置１０において、表示部２１（ＬＣＤあるいはブラウン管等）は、主制御部２０から送られてくる情報を表示面に表示し、あるいは、表示面上の表示に対するオペレータからの指示を受け、その指示を主制御部２０に伝達する。この例においては、オペレータからの指示は、表示面上のＧＵＩ（graphical user interface）を用いてメニュー選択、所定の画像区域の選択（例えば、所定のアイコンの選択）により実行に移されるものとする。操作部２２は、キースイッチやマウスを備え、メニュー選択およびアイコン選択に関する所定の指示を主制御部２０に伝達することができるようにされている。もちろん、オペレータが表示面における上述の選択部分にタッチすることによりメニュー選択等を行えるようにしてもよい。
【０００９】
温度制御部２３は、半導体製造装置１０の各部の温度を検出し、主制御部２０に伝達するとともに、主制御部２０からの指示に従って各部の温度を制御する。また、ガス制御部２４は、半導体製造装置１０の各部のガス流量等を検出し、主制御部２０に伝達するとともに、主制御部２０からの指示に従って各部のガス流を制御する。搬送制御部２５は、搬送装置（不図示）の各部の速度等を検出したり、ウェーハボートの収容状況を検出し、記憶部２６に記憶し、それらのデータを主制御部２０に伝達するとともに、主制御部２０からの指示に従って搬送装置やウェーハボートを制御する。
【００１０】
さらに、搬送制御部２５は、搬送装置を駆動して、所定枚数（例えば、２５枚）のウェーハがそれぞれのカセットスロットに１枚ずつ収納されたウェーハカセットを、一旦、受け渡しステーション（不図示）に載置させ、受け渡しステーションのカセットに収納されたウェーハを、順次にウェーハボートの各スロットに移載する。主制御部２０は、上述の表示部２１や操作部２２からオペレータの指示を受け取ったり、半導体製造装置１０の各部からそれぞれの検出するデータを受け取ったりするとともに、予め与えられたプログラムに従って、それらの指示やデータを用いて新たな指示を決定し、決定した指示を適宜に各部に伝達する。
【００１１】
次に、上述のように主制御部２０が各部と指示やデータの授受を行う際にウェーハボートを管理する内容について図２，図３，図４を参照しつつ説明する。図２に示されるように、オペレータが表示部２１に表示されたメインメニューの中からウェーハボートステータス情報表示を選択すると、表示部２１は、主制御部２０に対して、ウェーハボートステータス情報を送るように要求する。この要求を受けた主制御部２０は、搬送制御部２５に対して、ウェーハボートステータス情報を送るように要求する。
【００１２】
搬送制御部２５は、図３に示されるように、ウェーハボートの各スロットに格納している各ウェーハについてスロット１情報，スロット２情報，〜，スロット２００情報を記憶部２６に記憶している。これらの各スロット情報には、ウェーハ種別情報、ロット番号を示すＬＯＴ ＩＤ、カセットに収納されていたときのスロット位置を示すカセットスロットＮＯが組になるように編集され記憶されている。主制御部２０からウェーハボートステータス情報を送信すべき要求を受けた搬送制御部２５は、記憶しているスロット１情報，スロット２情報，〜，スロット２００情報を主制御部に送信する。主制御部２０は、搬送制御部２５から受け取った情報を表示部２１に送信する。
【００１３】
表示部２１は、主制御部２０から受け取ったスロット１情報，スロット２情報，〜，スロット２００情報に基づいて、データの編集を行い、図４（ａ）のようなウェーハボートステータス情報に関するウェーハボート全体の画面を表示する。ウェーハボート全体の画面においては、ウェーハの種別は、左上の“Color Legend”における色分けによってボートスロット毎に区分される。例えば、通常の生産ウェーハであれば“Product”の下に示された色（例えば、黄色）で、テストウェーハであれば“Test”の下に示された色（例えば、赤色）で、ダミー用であれば“Fill Dummy”の下に示された色（例えば、青色と緑色）で示される。
【００１４】
次に、表示部２１において、“Product”の下に示された黄色が選択されると、他の色の着いた部分は消え、黄色の部分のみが残るとともに、これらのロット番号がＬｏｔ１，Ｌｏｔ２，Ｌｏｔ３のように表示される。Ｌｏｔ１を選択すると、Ｌｏｔ１以外の黄色の部分は消え、図４（ａ）のようにウェーハボートのＬｏｔ１の部分の黄色のみが残る。したがって、残った黄色の部分が生産ウェーハでＬｏｔ１に属するウェーハが収納されているボートスロットの個所を示すものとなる。そこで、さらに、残った黄色の部分を選択すると、図４（ｂ）に示されるように収納の状態がさらに詳細に表示される。
【００１５】
すなわち、黄色い部分に対応するボートスロットＮｏ．（Ｓ０１，Ｓ０２，〜，Ｓ２００のうちの例えば、Ｓ３１，Ｓ３２，〜，Ｓ５５）と、そのボートスロットに入っているウェーハのロット番号（Ｌｏｔ１）と、ウェーハがボートスロットに移載される前に収納されていたカセット（Ａ，Ｂ，〜，ＮのうちのＡ）と、そのカセットＡのカセットスロットＮｏ．（０１，０２，〜，２５）が対応するように表示部に表示される。したがって、この場合、ボートスロットＳ３１からＳ５５には、ロット番号１でカセットＡのカセットスロットＮｏ．１からＮｏ．２５までに入っていたウェーハが移載されていることが分かる。
【００１６】
このように図１の実施例によれば、ウェーハボートの各ボートスロットに格納されているウェーハの種類やロットが一目で分かるとともに、ウェーハが移載されてくる前に収納されていたカセットおよびそのカセットのどのカセットスロット番号に収納されていたかも明確にできる。したがって、何らかの必要があって、ボートスロットに収納されているウェーハを元のカセットに手で戻す場合にも、誤り無く実行できる。また、このデータを用いて、移載装置が指示に従ってウェーハをカセットに戻すことも可能になる。
【図面の簡単な説明】
【００１７】
【図１】この発明に係わるウェーハボート管理システムが使用されている半導体製造装置を示すブロック図である。
【図２】ウェーハボートステータス情報が表示部に表示されるまでの動作を説明する図である。
【図３】ウェーハボートの各ボートスロットに格納されているウェーハに関して記憶部に記憶されている状態を示す図である。
【図４】（ａ）は、ウェーハボートの各ボートスロットに格納されているウェーハに関する情報が表示部に表示される状態を示す図である。（ｂ）は、（ａ）で選択されたロットの内容をさらに詳細に表示部に表示されている状態を示す図である。
【符号の説明】
【００１８】
１０  半導体製造装置
２０  主制御部
２１  表示部
２２  操作部
２３  温度制御部
２４  ガス制御部
２５  搬送制御部
２６  記憶部
【図１】
0004762111.tif 000002
【図２】
0004762111.tif 000003
【図３】
0004762111.tif 000004
【図４】
0004762111.tif 000005